(57)【特許請求の範囲】
【請求項１】
乗員室(4)の前方に隣接配置したエンジン(5)の上部を覆うボンネット(7)の乗員室(4)との隣接部裏面にフィルタ(8)を内蔵するケース(9)を備え、空気をフィルタ(8)に貫流させて乗員室(4)側に吸気する車両室内への吸気構造において、ほぼ平板状のフィルタ(8)をケース(9)内からボンネット(7)上へ出し入れ可能な開口(7a)をボンネット(7)に設けると共に、通気孔(10a)を備えて開口(7a)を覆う蓋(10)をボンネット(7)に対して開閉自在に設け、かつフィルタ(8)は、蓋(10)を開けた状態で、ボンネット(7)上から開口(7a)を通してフィルタ(8)の吸気面(8b)を直接目視可能にフィルタ(8)の上端を後傾してケース(9)内に立設し、フィルタ(8)の前方においてケース(9)のエンジン側壁(9E)を下方ほど乗員室(4)側へ漸近させ、上面視において開口(7a)がエンジン側壁(9E)に重なるように設けられてなることを特徴とする車両室内への吸気構造。
【請求項２】
通気孔(10a)に流れ込む及び／又は通気孔(10a)を流れた吸気流をサイクロン化するダスト分離器(15)を蓋(10)に設けると共に、ケース(9)内のフィルタ吸気面側室(9F)の底(9b)に設けたダスト排出孔(9f)からエンジン排気管(5e)にかけてフィルタ吸気面側室(9F)内からエンジン排気管(5e)内に連通する連通管(14)を設け、かつダスト分離器(15)は、蓋(10)を閉じた状態で、ダスト排出孔(9f)の近傍に位置するか又はダスト排出孔(9f)に対し隙間を有して位置するダスト排出口(15g)を備えることを特徴とする請求項１記載の車両室内への吸気構造。
【請求項３】
通気孔(10a)に流れ込む及び／又は通気孔(10a)を流れた吸気流をサイクロン化するダスト分離器(15)を蓋(10)に設けると共に、ケース(9)内のフィルタ吸気面側室(9F)の底(9b)に設けたダスト排出孔(9f)に、吸気停止時に開いて外気と連通させ、吸気時にフィルタ吸気面側室(9F)の吸気圧によって閉じて外気から遮断する開閉弁(16)を設け、かつダスト分離器(15)は、蓋(10)を閉じた状態で、ダスト排出孔(9f)の近傍に位置するか又はダスト排出孔(9f)に対し隙間を有して位置するダスト排出口(15g)を備えることを特徴とする請求項１記載の車両室内への吸気構造。
【請求項４】
通気孔(10a)に流れ込む及び／又は通気孔(10a)を流れた空気中の水分を捕集する水捕集器(17)を蓋(10)に設けたことを特徴とする請求項１〜３いずれかに記載の車両室内への吸気構造。
【請求項５】
外気を側方から及び／又は下方から吸入し通気孔(10a)へと導びく吸気管(12)をボンネット(7)上に着脱自在に設けたことを特徴とする請求項１記載の車両室内への吸気構造。
【請求項６】
吸気管(12)を流れる吸気流をサイクロン化するダスト分離器(15)を吸気管(12)内に設けると共に、ケース(9)内のフィルタ吸気面側室(9F)の底(9b)に設けたダスト排出孔(9f)からエンジン排気管(5e)にかけてフィルタ吸気面側室(9F)内からエンジン排気管(5e)内に連通する連通管(14)を設け、かつダスト分離器(15)は、蓋(10)を閉じた状態で、ダスト排出孔(9f)の近傍に位置するか又はダスト排出孔(9f)に対し隙間を有して位置するダスト排出口(15g)を備えることを特徴とする請求項５記載の車両室内への吸気構造。
【請求項７】
吸気管(12)を流れる吸気流をサイクロン化するダスト分離器(15)を吸気管(12)内に設けると共に、ケース(9)内のフィルタ吸気面側室(9F)の底(9b)に設けたダスト排出孔(9f)に、吸気停止時に開いて外気と連通させ、吸気時にフィルタ吸気面側室(9F)の吸気圧によって閉じて外気から遮断する開閉弁(16)を設け、かつダスト分離器(15)は、蓋(10)を閉じた状態で、ダスト排出孔(9f)の近傍に位置するか又はダスト排出孔(9f)に対し隙間を有して位置するダスト排出口(15g)を備えることを特徴とする請求項５記載の車両室内への吸気構造。
【請求項８】
吸気管(12)内を流れる空気中の水分を捕集する水捕集器(17)を吸気管(12)内に設けたことを特徴とする請求項５〜７いずれかに記載の車両室内への吸気構造。
【請求項９】
ケース(9)の側壁のうちの少なくともエンジン(5)側の壁(9E)を共用する第２ケース(13)をボンネット(7)の裏面に設け、かつ第２ケース(13)をエンジン(5)に対する吸気流路(5b)としたことを特徴とする請求項１〜５のいずれかに記載の車両室内への吸気構造。
【請求項１０】
前記蓋(10)をボンネット(7)の一部として共用し、ボンネット(7)に対して開閉自在に設け、かつケース(9)の少なくとも各壁側がボンネット(7)の裏面補強リブ部材(7b)と共用してボンネット(7)と一体的に構成したことを特徴とする請求項１記載の車両室内への吸気構造。
【発明の詳細な説明】
【０００１】
【発明の属する技術分野】
本発明は、車両室内への吸気構造に関する。
【０００２】
【従来の技術】
車両の乗員室は、窓を開閉しての自然換気及び自然換気式ベンチレータは別として、強制換気式ベンチレータ並びに換気、空気ろ過、除湿、冷房及び暖房等の幾つか又は総べてを強制的に行うクーラ、ヒータ及びエアコンディショナ（いわゆるエアコン）等の空調機器を備える。これら空調機器はいずれもファンを有し、ファンによって外気を吸気し、また排気する。ところが、乗員室が狭い車両では、乗員室の内部容積を確保するために、吸排気構造と共にこれら機器を乗員室外に配置するか又は吸気構造だけを乗員室外に配置する。
【０００３】
そこで、両配置に共通する吸気構造について、これを乗員室外に配置するもののうち、本願発明に係る従来の吸気構造としては、「乗員室に隣接配置したエンジンの上部を覆うボンネットの乗員室との隣接部裏面にフィルタを内蔵するケースを備え、空気をフィルタに貫流させて乗員室側に吸気するする構造」が一般である。例えば次の通り。
【０００４】
実開平５−８０８２２号公報には、上記一般構造において、平板状のフィルタをケース内からボンネット上へ出し入れ可能な開口をボンネットに設けると共に、通気孔を備えて開口を覆う蓋をボンネットに対して開閉自在に設けてある。フィルタは２個であり、各吸気面を上にしてケース内に並列横置きしている。そして、各吸気面から上方へ若干離れてカバーを夫々設け、各カバーによって吸気面を覆う。これにより、通気孔を経てケース内侵入した雨水からフィルタの濡れを防止する。尚、ケース内に侵入した雨水はケース底に設けた排水口から外部へ排出する。
【０００５】
【発明が解決しようとする課題】
ところで上記公報の技術は本出願人が先に開示した技術であり、そしてこの技術を実機（ブルドーザ等の建設機械）に用いると、吸気構造に係る吸気管のような突起物がボンネット上に突出しないために外観性及び視界性が向上し、かつフィルタが雨水によって濡れないとの長所はあるものの、次のような不都合が生じている。
【０００６】
建設機械はダスト（粉塵及び塵埃等）の多い砂漠地、土漠地及び船内等で稼動することが多く、従ってフィルタの目詰まりが激しい。そこで仮に目詰まり点検が困難であると、吸気効率が低下しても放置され易く、従って空調機器の作動効率が低下する。そこで仮にエンジンエアクリーナにおいて常用する「吸気圧の大小によってフィルタの目詰まり度合いを表示するダストインジケータ」を設けてみても、本願発明なる「車両室内への吸気構造」での目詰まり前後の吸気圧差がエンジン吸気圧差と比べて格段に小さいために、ダストインジケータによる目詰まり表示を期待できないのが実状である。また、建設機械は、その大小に係わらず、乗員室が一人用か又は希に２人用であって狭い。従って、小形及び超小形の建設機械では、吸気効率を高めるべくフィルタを大形化しようにも又は複数設けようにも、その配置空間を確保しにくい又はできないのが実状がある。
【０００７】
具体的には上記公報の技術では、蓋と２つのカバーとを取り外さないと、フィルタを目詰まり点検できない。尚、この点検には、フィルタの目視点検は勿論のこと、フィルタ交換作業と、車両から取り外したフィルタに高圧空気を与えるか又はフィルタを叩くかして目詰まりしたフィルタからのダスト除去作業とが含まれる（以下、同じ）。また、小形車両又は超小形車両であってもエンジンはそれなりに大きいが、それにも係らずフィルタを横置きとしているために、ケースがエンジンの上方に位置してボンネット高さを高くする。つまり、小形車両又は超小形車両に求められる車両のコンパクト化の障害となっている。また、その外観性及び視界性を損ねる原因ともなっている。また、ケース内に侵入した雨水は排水口から外部へ排出されるものの、排出水がエンジン外壁を伝わり、これを汚している。
【０００８】
本発明は、上記従来技術の不都合に鑑み、目詰まり点検を容易化でき、さらに車両のコンパクト化、外観性向上、視界性向上及び周囲構造との好適性向上等の少なくとも一つを得られる車両室内への吸気構造の提供を目的とする。
【０００９】
【課題を解決するための手段、作用及び効果】
上記の目的を達成するために、本発明の車両室内への吸気構造は、第１に、乗員室に隣接配置したエンジンの上部を覆うボンネットの乗員室との隣接部裏面にフィルタを内蔵するケースを備え、空気をフィルタに貫流させて乗員室側に吸気する車両室内への吸気構造において、ほぼ平板状のフィルタをケース内からボンネット上へ出し入れ可能な開口をボンネットに設けると共に、通気孔を備えて開口を覆う蓋をボンネットに対して開閉自在に設け、かつフィルタは、蓋を開けた状態で、ボンネット上から開口を通してフィルタの吸気面を直接目視可能にケース内に立設してなることを特徴としている。
【００１０】
（１）上記第１構造によれば、蓋を開けてボンネット上から開口を通してフィルタの吸気面を直接目視できると共に（尚、吸気面の全面を直接目視できることが望ましい）、フィルタをケース内から開口を経てボンネット上へ出し入れできる。即ち、蓋を開けるだけでフィルタの目詰まりを目視点検できる。フィルタ交換等の点検も、フィルタをケース内から開口を経てボンネット上へ出し入れすることだけで行える。即ち、点検が簡単容易となり、従来技術における点検困難に基く吸気効率の低下を防止できる。
【００１１】
（２）上記第１構造は、乗員室とエンジンとを隣接配置した車両における吸気構造であるが、かかる車両では、その大小に係わりなく、乗員室とエンジンとの間に谷状の空間が生ずるものである。即ち上記第１構造によれば、フィルタがほぼ平板状であり、かつケース内に立設される。つまり、ケースを縦方向に長くでき、従って車両の大小に係わりなく、ケースを谷状の空間内に挿入配置し易い。このために、車両の大小に係わりなく、ボンネット高さを低くできる。つまり、車両の大小に係わりなく、車両自体のコンパクト化並びに外観性及び視界性の向上に寄与する。また、大きなフィルタを使用でき、従ってフィルタの目詰まり寿命も延長する。
【００１２】
第２に、上記第１構造において、ケースのエンジン側壁を下方ほど乗員室側へ漸近させるのが望ましい。
【００１３】
上記第２構造のように、ケースのエンジン側壁を下方ほど乗員室側へ漸近させると、乗員室とエンジンとの間の谷状の空間をさらに有効利用できる。即ち、ケースを谷状の空間内により深く挿入配置できる。従って、ボンネット高さをさらに低くでき、車両自体のコンパクト化並びに外観性及び視界性の向上をさらに達成できる。一方、ボンネット高さを変えないとすれば、さらに大きなフィルタを採用でき、従ってフィルタの目詰まり寿命がさらに延長する。
【００１４】
また、外気を側方から及び／又は下方から吸入し通気孔へと導びく吸気管をボンネット上に着脱自在に設けるのが望ましい。
【００１５】
（１）吸気管を設けると、外観性及び視界性は吸気管のないものよりも劣るものの、フィルタの早期目詰まりを解消できる。即ち、ダストは概して地表から上空へ向かうほど減少する。例えば建設機械では、特にクローラ式車両では、左右の履帯が走行時に土砂を舞き上げるが、吸気管を備えることで舞き上がった土砂（ダスト）を吸引する機会が殆どなくなり、フィルタの早期目詰まりを防止できる。また、砂塵地の稼動であっても、吸気管を上方へ延長させることにより、フィルタの目詰まり寿命を延長できる。
【００１６】
（２）しかも、吸気管は、その側方及び／又は下方から外気を吸入する。従って、降雨時に雨水がケース内に侵入せず、フィルタの濡れを防止できる。
【００１７】
また、蓋及び／又は吸気管内に、空気中のダストを自動分離するダスト分離器を適宜設けると共に、ダスト分離器によって空気中から分離したダストを車外へ自動排出可能に排出機構を設けることとした。ダスト分離器としては、「吸気流をサイクロン化するもの」とした。吸気流をサイクロン化すると、サイクロン化した空気中の重いダストがサイクロン流に基く遠心力によって外方へ飛ばされ、そして内方のダストを多く含まない吸気をフィルタの吸気面へ導びくことができるからである。排出機構としては、「ケース内のフィルタ吸気面側室内からエンジン排気管内に連通する連通管」又は「吸気停止時に開いて外気と連通させ、吸気時にフィルタ吸気面側室の吸気圧によって閉じて外気から遮断する開閉弁」とした。尚、排出機構を連通管としたときは、この連通管は「フィルタ吸気面側室の底に設けたダスト排出孔からエンジン排気管にかけて設け」ることとし、一方、排出機構を開閉弁としたときは、この開閉弁は「フィルタ吸気面側室の底に設けたダスト排出孔に設け」ることとした。但し、ダスト分離器によって空気中から分離したダストを車外へ自動排出可能に排出機構を設けるには、ダスト分離器は「蓋を閉じた状態で、ダスト排出孔の近傍に位置するか又はダスト排出孔に対し隙間を有して位置するダスト排出口を備えること」とした。即ち、
（１）ダスト分離器を蓋及び／又は吸気管内に設けたため、第１構造の各作用効果を維持できる。
【００１８】
（２）ダスト分離器及びフィルタで捕捉されずにフィルタ吸気面側室の底に堆積しようとするダストでも、ダスト排出口とダスト排出孔との離間空間又は隙間から排出機構を経て車両外に排出できる。
【００１９】
また、蓋に及び／又は吸気管内に空気中の水分を捕集する水捕集器を設けてもよい。
【００２０】
水捕集器としては、いわゆるミスト分離器及び後述の実施例で詳記する複数の樋を用いたもの等、各種準備できる。
【００２１】
また、ケースの側壁のうちの少なくともエンジン側の壁を共用する第２ケースをボンネットの裏面に設け、かつ第２ケースをエンジン吸気流路としてもよい。
【００２２】
（１）エンジン排気流路はその排気の温度、成分及び色等に起因して反乗員室側に設けられ、エンジン吸気流路は乗員室側に設けられるのが普通である。つまり、エンジン吸気流路はケース近傍に位置する。そこで「ケースの側壁のうちの少なくともエンジン側の壁を共用する第２ケースをボンネットの裏面に設け、かつ第２ケースをエンジン吸気流路とした」ものである。この結果、共用壁材を無くすことができる。しかも、エンジンとボンネットとの間に従来配管していたエンジン吸気流路が第２ケースに変わってボンネット裏面にスッキリ設けられることとなるために、エンジンの点検整備性までもが向上する。
【００２３】
（２）ケース及び第２ケースは箱構造である。即ち、ケース及び第２ケースを取り付けたボンネット自体の捻じり剛性及び曲げ剛性が大幅に向上する。従って、ケース及び第２ケースは元よりのこと、ボンネット自体も薄肉化できる。換言すれば、ケース、第２ケース及びボンネットを例えば樹脂で構成できる。この場合、樹脂は鉄板よりも低強度ではあるは、上記の通り、捻じり剛性及び曲げ剛性が大幅に向上するのでこれを相殺できる。また、樹脂は鉄板よりも軽いために、第２ケースの増加重量分を相殺できる。
【００２４】
（３）尚、これら（１）、（２）の作用効果は、前記「特許請求の範囲」に記載の請求項１０での「ケースの少なくとも各壁側がボンネットの裏面補強リブ部材と共用してボンネット(7)と一体的とした構成」でも同様である。
【００２５】
【発明の実施の形態及び実施例】
以下、実施例を図１〜図１０を参照し説明する。実施例を搭載する例機は、図１に示す通り、ブレード１を備えてクローラ２により走行自在とされたブルドーザである。車体３上には乗員室４（いわゆる「キャビン」である）と、ブレード１及びクローラ２の動力源なるエンジン５とを搭載する。エンジン５は乗員室１の前部から前方へと乗員室１に対し隣接配置される。エンジン５上部は、乗員室１前部から車体３前端に搭載したラジエータガード６上部にかけて着脱自在に架設したボンネット７で覆われる。そして、ボンネット７の乗員室４との隣接部裏面に、平板状のフィルタ８を内蔵するケース９が固設され、乗員室４に設けた空調機器（不図示）のファン（不図示）によってフィルタ８に外気を貫流させて乗員室４側に吸気するようにしてある。
【００２６】
上記例機において、第１実施例を図２〜図４を参照し説明する。例機の部分平面図なる図２（ａ）及び部分側面図なる図２（ｂ）に示す通り、ケース９はボンネット７に設けた開口７ａ回りのボンネット裏面に溶接又はボルト締めによって固設されている。開口７ａは、ケース９の内外間でフィルタ８を出し入れ可能なサイズとしてある。そして、開口７ａを開閉自在とすべく、ボンネット７には開口７ａを覆う蓋１０を設けてある。尚、蓋１０の開閉には、ボルト等によって蓋１０自体をボンネット７から脱着して開閉する脱着式と、ヒンジを用いて扉のように開閉するいわゆる扉式とがあるが、本実施例（本発明）ではどちらでも又は両方を採用して構わない。例えば本実施例では、図３に示す通り、蓋１０の開閉にヒンジ１１を用いるが、このヒンジ１１は、ボス１１ａ内に軸１１ｂを挿入し、そののち軸１１ｂの先端の孔１１ｄ内に係止ピン１１ｃを出し入れ自在としてある。つまり、蓋１０はボンネット７に対し脱着式かつ扉式に開閉自在としてある。
【００２７】
図２に示す通り、蓋１０には通気孔１０ａを設けてあり、通気孔１０ａ回りの蓋１０上に吸気管１２を脱着自在に立設してあるが、吸気管１２を装着したまま二０を開放してフィルタ８の点検及び着脱も勿論可能である。吸気管１２はその上端でその側方及び／又は下方から外気を吸入し、通気孔１０ａへと導びく。
【００２８】
ケース９は、前記の通り、ボンネット７の乗員室４との隣接部裏面に溶接又はボルト締めにより固設されている。ところで、図２に示す通り、エンジン５は、例えばプリクリーナ５ａと、エアクリーナ５ｃと、ターボチャージャ（不図示）と、インタークーラ（不図示）と、インテークマニホールド５ｄとをこの順に経て吸気し、例えばエキゾーストマニホールド（不図示）と、ターボチャージャ（不図示）と、排気管５ｅとをこの順に経て排気する。ここで、プリクリーナ５ａからエアクリーナ５ｃまで、エアクリーナ５ｃからターボチャージャまで、ターボチャージャからインタークーラまで及びインタークーラからインテークマニホールド５ｄまでの夫々でエンジン吸気流路を有するが、本発明ではこれらエンジン吸気流路の少なくとも一つをケース９の前側に隣接してボンネット７の裏面に固定した第２ケース１３の内空間で構成する。本実施例では、図２に示す通り、プリクリーナ５ａからエアクリーナ５ｃまでのエンジン吸気流路５ｂを第２ケース１３の内空間で構成している。しかも、第２ケース１３の乗員室４側壁をケース９のエンジン側壁９Ｅとの接触面において共用させてある。しかも、ケース９のエンジン側壁９Ｅがボンネット７の裏面補強リブ部材７ｂと共用している。さらには、エンジン側壁９Ｅを下方ほど乗員室４側に漸近させてある。
【００２９】
ケース９の内部は、図４に示す通り、２個のフィルタ８を並べて各上端を夫々後傾させてケース９内に固定する立設式である。詳しくは次の通り。ケース９は、その後部に設けた遮蔽隔壁９ａを境として、通気孔１０ａ側の前室９Ｆ（上流室）と、乗員室４側に連通する後室９Ｂ（下流室）とで一つの吸気流路を形成している。遮蔽隔壁９ａは、その前面左右には孔９Ｌ、９Ｒを有する。前室９Ｆの底９ｂの遮蔽隔壁９ａ側端には、ヒンジ９ｃを設けてある。ヒンジ９ｃはフィルタ押え板９ｄの下端と係合し、立設後のフィルタ押え板９ｄを前後傾自在としている。フィルタ押え板９ｄもまた、左右に孔９Ｌ、９Ｒを有する。また、フィルタ押え板９ｄの上端には係止金具９ｅを設けてある。尚、遮蔽隔壁９ａの上面にも係止金具９ｅを設けてある。また、遮蔽隔壁９ａの左右の孔９Ｌ、９Ｒはフィルタ８の放気面８ａと同サイズとされ、一方、フィルタ押え板９ｄの左右の孔９Ｌ、９Ｒはフィルタ８の吸気面８ｂと同サイズとされる。尚、フィルタ８は、本実施例ではその厚さ方向のほぼ中央外周に枠８ｃを突出して有する市販の規格品である。つまり、フィルタ８の放吸気面８ａ、８ｂは互いに同サイズである。従って、本実施例での遮蔽隔壁９ａ及びフィルタ８の各左右の孔９Ｌ、９Ｒもまた同サイズである。また、前室９Ｆの底９ｂは所定位置に向けて傾斜し、その傾斜端（即ち最底部）にダスト排出孔９ｆを設けてある。ダスト排出孔９ｆが位置するケース９の裏面には、図２に示す通り、このダスト排出孔９ｆに連通する連通管１４の一端が脱着自在に接続している。連通管１４の他端はエンジン排気管５ｅに脱着自在に接続している。つまり、連通管１４は、前室９Ｆ内とエンジン排気管５ｅ内とを連通させる。
【００３０】
ところで、ケース９は、図４に示す通り、車体３に対しボルト締めされて着脱自在となっている。尚、ケース９は、前記の通り、ボンネット７に固設されているから、ボンネット７が車体３に対し着脱自在に支持されていることになる。詳しくは、次のケース９のボンネット７への取り付け手順で説明する。
【００３１】
図４に示す通り、車体３の乗員室４側の左右の主要メンバには台座３ａを夫々設けてある。そこで、ボンネット７のエンジン５上部への取り付け手順は、ボンネット７の前部をラジエータガード６上の所定位置に載置させると共にケース９の左右後端下部を左右の台座３ａ上に載置し、その上で、ボンネット７の前部をラジエータガード６に係止手段（不図示）によって係止すると共にケース９の後部左右に設けたボルト通し孔９ｇを経て車体３に設けたネジ穴にボルト（不図示）を夫々締め付けることで行う。これにより、ケース９は車体３に固定される。ボンネット７のエンジン５上部からの取り外し手順は、上記取り付け手順の逆である。尚、ボンネット７自体の着脱には連通管１４の着脱と、第２ケース１３へのプリクリーナ５ａ及びエアクリーナ５ｃの着脱も伴うなう。勿論、エンジン排気管５ｅ、その他部品の着脱も伴うが、これらその他部品の着脱要領については、本実施例に無関係であるため、その説明は省略する。
【００３２】
次に、ケース９内へのフィルタ８の取り付け手順を図２及び図４を参照し説明する。先ず、作業者は蓋１０を開けてフィルタ押え板９ｄを前傾させる。次いで、２個のフィルタ８を外部から開口７ａを通してフィルタ押え板９ｄと遮蔽隔壁９ａとの間に立てる。次いで、各フィルタ８の放吸気両面８ａ、８ｂが遮蔽隔壁９ａ及びフィルタ８の各孔９Ｌ、９Ｒ内に収まるように、フィルタ押え板９ｄを後傾させ、収まった後、フィルタ押え板９ｄを完全に後傾させる。すると、フィルタ押え板９ｄがフィルタ８の枠８ｃの前面に密接し、かつ枠８ｃの後面が遮蔽隔壁９ａの左右の孔９Ｌ、９Ｒの外周前面に密接する。その後、フィルタ押え板９ｄを遮蔽隔壁９ａに両者の係止金具９ｅ間で係止させる。これにより、ケース９内へのフィルタ８の取り付けを完了する。ケース９外へのフィルタ８の取り外し手順は、上記取り付け手順の逆である。
【００３３】
尚、本実施例において留意すべき点は、ケース９内に固定（以下単に「立設」とする）したフィルタ８の吸気面８ｂを開口７ａから直接目視できるように、フィルタ８のケース９内での立設位置を設定してある点である。もっとも、直接目視するには、蓋１０を開く必要があるが、これは、前記の通り、蓋１０がボンネット７に対し開閉自在としてあることで達成される。
【００３４】
第１実施例の作用効果は、次の通り。
【００３５】
（Ａ１）蓋１０を開けて開口７ａからフィルタ８の吸気面８ｂを直接目視できると共に、フィルタ８を開口７ａを経てケース９の内外間で出し入れ可能としてある。従って、フィルタの目詰まり点検が簡単容易となり、従来技術における点検困難に基く吸気効率の低下を防止できる。
【００３６】
（Ａ２）ほぼ平板状フィルタ８をケース９内に立設させた。上記実施例は、乗員室４とエンジン５とが隣接配置した車両に対する吸気構造である。かかる車両では、その大小に係わりなく、乗員室４とエンジン５との間に谷状の空間が生ずる。即ち、上記実施例でのフィルタ８はほぼ平板状であり、かつケース内に立設される。つまり、ケース９を縦方向に長くでき、従って車両の大小に係わりなく、ケース９を谷状の空間内に深く挿入配置できる。このため、車両の大小に係わりなく、ボンネット７の高さを低くできる。つまり、車両の大小に係わりなく、車両自体のコンパクト化並びに外観性及び視界性の向上を図ることができる。一方、ボンネット７の高さを従来のままとすれば、大きいフィルタ８を使用でき、その分だけフィルタ８の目詰まり寿命が延長する。つまり、乗員室４とエンジン５との間の谷状の空間を有効利用できる。
【００３７】
（Ａ３）しかも、ケース９のエンジン側壁９Ｅを下方ほど乗員室４側に漸近させた。即ち、ケース９を乗員室４とエンジン５との間の谷状の空間内にさらに奥深く挿入配置できる。従って、ボンネット７の高さをさらに低くでき、車両自体のコンパクト化並びに外観性及び視界性の向上をさらに達成できる。一方、ボンネット７の高さを従来のままとすれば、さらに大きいフィルタ８を使用でき、その分だけフィルタ８の目詰まり寿命がさらに延長する。つまり、乗員室４とエンジン５との間の谷状の空間をさらに有効利用できる。また、導入外気を立設したフィルタ８の下方側へもスムーズに誘導できる。
【００３８】
（Ａ４）ボンネット７の裏面に第２ケース１３を設け、その内空間をプリクリーナ５ａからエアクリーナ５ｃまでのエンジン吸気流路５ｂとした。従って、エンジン５の上部に配置した従来のエンジン吸気流路５ｂなる配管がなくなり、スッキリし、エンジンの点検整備が楽になる。また、例えばプリクリーナ５ａからエアクリーナ５ｃまで、エアクリーナ５ｃからターボチャージャまで、ターボチャージャからインタークーラまで、インタークーラからインテークマニホールド５ｄまで及びエアクリーナ５ｃからインテークマニホールド５ｄまでの各エンジン吸気流路のうちの幾らかの夫々に対し、第２ケース１３を複数設けるか又は第２ケース１３内を遮蔽壁で複数分割するかして個別対応させてもよい。このようにすると、各エンジン吸気流路の配管の総べてもなくなり、さらにスッキリし、またエンジンの点検整備がさらに容易になる。また、ケース９及び第２ケース１３は箱構造であり、かつケース９のエンジン側壁がボンネット７の裏面補強リブ部材７ｂに共用しているから、ボンネット７自体の捻じり剛性及び曲げ剛性が大幅に向上する。従って、これらケース９及び第２ケース１３は元よりのこと、ボンネット７自体も薄肉化できる。また、ボンネット７は鋼板であるのが普通だが、上記の通り、薄肉化しても剛性を確保できるために、例えばこれらを樹脂で構成できる。尚、樹脂として、例えば軽く、かつ基本的に鋼板に準ずる剛性の、そして加工し易く、かつ塗装し易いエンプラ（エンジニアリングプラスチック）を好適例として例示できる。
【００３９】
（Ａ５）前室９Ｆの底９ｂを傾斜底とし、最底部にダスト排出孔９ｆを設けた。従って、フィルタ８を通過する前に傾斜底９ｂに落下した砂等の重いダストは、ダスト排出孔９ｆに自動的に至り、ダスト排出孔９ｆから外部へ排出される。
【００４０】
（Ａ６）ダスト排出孔９ｆには、室９Ｆ内とエンジン排気管５ｅ内とを連通させる連通管１４を設けた。即ち、エンジン排気管５ｅ内の排気流速は速い。従って、エンジン排気管５ｅ内での連通管１４の開口部の圧力は、連通管１４内（即ちケース９内）の吸気圧よりも低くなる。従って、エンジン５が稼動すると、フィルタ８を通過する前に前室９Ｆの底９ｂ上に落下してダスト排出孔９ｆに至った砂等の重いダストは、ダスト排出孔９ｆから連通管１４を経てエンジン排気管５ｅ内に吸引され、エンジン排気管５ｅから大気へ放出される。いわゆる「霧吹きの原理」が生ずる。
【００４１】
第１実施例の態様例を説明する。
【００４２】
（１）上記（Ａ１）の「蓋１０を開けて開口７ａからフィルタ８の吸気面８ｂを直接目視可能」ならば、各フィルタ８を横置しても得られることとなるが、上記「ほぼ平板状フィルタ８をケース９内に立設させた」ことによる上記（Ａ２）の作用効果と、上記「しかも、ケース９のエンジン側壁９Ｅを下方ほど乗員室４側に漸近させた」ことによる上記（Ａ３）の作用効果とを勘案すると、フィルタ８のケース９内での立設角度範囲は、ほぼ垂直（９０°）状態からほぼ４５°〜５５°までの後傾状態が最適と考えられる。
【００４３】
（２）ケース９をボンネット７の裏面にボルト締めするときは、図５に例示するシール材９Ｓを介するのが望ましい。即ち、エンジン５は、例えばそのロッカアームカバー（不図示）にブリーザ（不図示）を有し、ブリーザから霧化した若干量のエンジン潤滑オイルが放出されてエンジン室内に常時漂っている。そして、常時漂っているために、エンジン室内の霧化したエンジン潤滑オイルが若干量ずつではあっても、ケース９とボンネット７との隙間を経てケース９内に吸引されてフィルタ８の吸気面８ｂを汚し、その使用寿命を短くする。シール材９Ｓはこれを防止する。
【００４４】
第２実施例を図６を参照し説明する。吸気管１２の内部に、図６に例示するサイクロン式のダスト分離器１５を設けた。このダスト分離器１５は吸気管１２内の吸気流をサイクロン化する。即ち、本実施例では、吸気管１２の中央上部に下方へ向けて下面で開口する中空の円錐体１５ａを取り付けてある。円錐体１５ａの外周には螺旋翼１５ｂを設けてある。円錐体１５ａの下面から所定隙間だけ下方へ離間した位置での吸気管１２内壁部に傾斜遮蔽隔壁１５ｄを外周溶接してある。傾斜遮蔽隔壁１５ｄの中央には通気管１５ｃを上下方向に貫通させてある。通気管１５ｃの上面は円錐体１５ａの中空内で開口し、下面はケース９側で開口する。また、傾斜遮蔽隔壁１５ｄの最底部１５ｅにはダスト排出管１５ｆを設けてある。ダスト排出管１５ｆは、例えば樹脂製ホースでなる可撓管であり、前室９Ｆ内に垂れ下げてある。ダスト排出管１５ｆの下端はダスト排出口１５ｇとなるが、このダスト排出口１５ｇは、蓋１０を閉じた状態で、前室９Ｆの底９ｂのダスト排出孔９ｆのほぼ直上に位置するか又は微小隙間を有した位置となるように垂れ下がるようにしてある。ダスト排出孔９ｆには、エンジン排気管５ｅ内に至る連通管１４を脱着自在に接続してある。尚、ダスト排出管１５ｆを可撓管としたのは、蓋１０の開閉時にダスト排出管１５ｆが前室９Ｆの側壁及び／又はボンネット７の開口７ａ端に当たっても撓んで、この撓みによって蓋１０の開閉を阻害させないようにするためである。
【００４５】
第２実施例の作用効果は、次の通り。
【００４６】
サイクロン式のダスト分離器１５としては各種準備できるが、いずれも吸気流をサイクロン化し、サイクロン化すると、サイクロン化した空気中の重いダストがサイクロン流に基く遠心力によって外方へ飛ばされ、そして内方のダウストが減少した清浄な吸気をフィルタの吸気面へ導びくことができるからである。
【００４７】
（Ｂ１）即ち、ダスト分離器１５によれば、吸気管１２に吸気された空気の吸気流は、円錐体１５ａの外周に設けた螺旋翼１５ｂによってサイクロン化する。従って、空気中の多くのダストは、サイクロンに基く遠心力によって吸気管１２の内壁へと飛ばされ、吸気管１２の内壁に沿って傾斜遮蔽隔壁１５ｄ上に落下する。傾斜遮蔽隔壁１５ｄ上に落下したダストは、傾斜遮蔽隔壁１５ｄ上を転がり落ちて又は滑り落ちてダスト排出管１５ｆと、ダスト排出管１５ｆの下端はダスト排出口１５ｇと、前室９Ｆの底９ｂのダスト排出孔９ｆと、連通管１４とをこの順に経てエンジン排気管５ｅから大気へと放出される。ダストの種類にもよるが、普通のダストならば、このダスト分離器１５によって７０〜８０％捕集できる。一方、２０〜３０％の細かいダストを含んだ空気は、吸気管１２から前室９Ｆ内に吸気され、フィルタ８によって浄化される。即ち、単純計算によれば、ダスト分離器１５を設けない第１実施例と比較すれば、フィルタ８の目詰まり寿命が３倍〜５倍まで延長する。従って、本実施例は、極めてダストが多い環境で稼動する車両に好適である。
【００４８】
（２）ダスト排出口１５ｇは、蓋１０を閉じた状態で、前室９Ｆの底９ｂのダスト排出孔９ｆのほぼ直上に位置するか又は微小隙間を有して位置している。従って、ダスト分離器１５及びフィルタ８で捕捉されずに前室９Ｆの底９ｂ上に落下したダストでも、ダスト排出口１５ｇとダスト排出孔９ｆとの隙間からダスト排出孔９ｆと、連通管１４とを経てエンジン排気管５ｅから大気へ放出される。
【００４９】
第２実施例の態様例を説明する。
【００５０】
（１）第２実施例では、ダスト分離器１５を吸気管１２の内部に設けたが、ダスト分離器１５を通気孔１０ａ回りの蓋１０の裏面に設けてもよい。又は、ダスト分離器１５を吸気管１２内から通気孔１０ａ回りの蓋１０の裏面にかけて設けてもよい。これらは配置に差はあるものの、第２実施例に固有の上記作用効果を奏する。
【００５１】
（２）第１、第２実施例ではダスト排出孔９ｆにエンジン排気管５ｅ内に至る連通管１４を脱着自在に接続したが、この連通管１４に変えて、図７に示す通り、配管１５を介し又は直接に開閉弁１６（図７の１６Ａ又は図８の１６Ｂ）を着脱自在に接続してもよい。
【００５２】
開閉弁１６としては、吸気停止時に自動的に開き、吸気時に前室９Ｆの吸気圧（大気圧よりも小さい圧）によって自動的に閉じるものが望ましい。例えば次の通り。
【００５３】
図７に示す開閉弁１６Ａはゴム式である。これは、弁の内外圧が大気圧であるときは、図７（ａ）に示す通り、下端部がそのゴム材自体の緊迫力によって所定隙間だけ開口し（つまり、吸気停止時は、前室９Ｆ及び外部が大気圧であるから自動的に開口し）弁内のダストを外部に落下させ、一方、弁内の圧が弁外の圧（大気圧）よりも低いときは、即ちかかる差圧が生じ、かつ下端部の内外受圧面に対する前記差圧によって生じる力が前記ゴム材自体の緊迫力に打ち勝つとき、図７（ｂ）に示す通り、前記隙間を閉ざす（つまり、吸気時は、前室９Ｆの吸気圧が大気圧よりも小さいから自動的に閉じる）ものである。
【００５４】
図８に示す開閉弁１６Ｂはスプリング式１６Ｂである。これは、弁の内外圧が大気圧であるときは、図８（ａ）に示す通り、下端部がスプリング１６Ｂａの伸び力によって所定隙間だけ開口し（つまり、吸気停止時は、前室９Ｆ及び外部が大気圧であるから自動的に開口し）弁内のダストを外部に落下させ、一方、弁内の圧が弁外の圧（大気圧）よりも低いときは、即ちかかる差圧が生じ、かつ下端部の内外受圧面に対する前記差圧によって生じる力が前記伸び力に打ち勝ってスプリング１６Ｂａが縮むとき、図８（ｂ）に示す通り、前記隙間を閉ざす（つまり、吸気時は、前室９Ｆの吸気圧が大気圧よりも小さいから自動的に閉じる）ものである。
【００５５】
第３実施例を図９及び図１０を参照し説明する。第２実施例ではダスト分離器１５を、吸気管１２内に、蓋１０に又は吸気管１２内から蓋１０にかけて設けるものとしたが、第３実施例では、これら各ダスト分離器１５を水捕集器１７に変えたものである（尚、ダスト分離器１５と水捕集器１７とを同時に設けても構わない）。図９は、通気孔１０ａ回りの蓋１０に水捕集器１７を設けた例である。尚、図９では、通気孔１０ａ及び水捕集器１７を覆うカバー１８を吸気管１２に変えて蓋１０上に設けてある。カバー１８と蓋１０とは乗員室４側に開口しており、かつこの開口部下端を蓋１０の上面よりも若干高くし、これにより蓋１０上に落下した雨水がケース９内に流れ込まないようにしてある。水捕集器１７自体は、空気中の微細な水分を捕集する、いわゆるミスト分離器でも構わないが、図９の例では、蓋１０上に落下した雨水の跳ね返り水がケース９内に侵入するのを防止するのを主たる狙いとした図１０に詳記する樋式捕集器１７を採用している。詳しくは、次の通り。
【００５６】
樋式捕集器１７は、図１０に示す通り、一本の樋１７ａの横幅よりも若干狭い寸法だけ離間して並列横置きした複数本の樋１７ａ（樋だから傾斜している）を、千鳥状に３層配置したものである。樋１７ａの傾斜端の下方には、トレイ１７ｂを設けてあり、トレイ１７ｂの最底部１７ｃに下方へ貫通する排水管１７ｄを固設してある。一方、前室９Ｆの側壁には、内外に貫通する排水管１７ｅを固設してある。そして蓋１０を閉めたとき、排水管１７ｅの上部開口内に、排水管１７ｄの下部先端が進入するようになっている。排水管１７ｅは、エンジン５の側部に沿ってエンジン５の下部保護カバー（不図示）に設けた、孔（不図示）を貫通して地表に向けてその先端を開口している。
【００５７】
尚、樋式捕集器１７は、空気中の微細な水分を捕集する、いわゆるミスト分離器でもよい。
【図面の簡単な説明】
【図１】実施例を搭載する例機（ブルドーザ）の側面図。
【図２】第１実施例の概要図であり、（ａ）は例機の部分平面図、（ｂ）は例機の部分側面図。
【図３】図２（ａ）のＰ１部の斜視図。
【図４】ケース組立図及びフィルタの組み込み図。
【図５】ケース上面へのシール材の組み込み図。
【図６】第２実施例の部分詳細断面図。
【図７】開閉弁の第１例の斜視図であり、（ａ）は吸引停止時（開時、ダスト落下時）、（ｂ）は吸引時（閉時、ダスト捕集時）を示す。
【図８】開閉弁の第２例の斜視図であり、（ａ）は吸引停止時（開時、ダスト落下時）、（ｂ）は吸引時（閉時、ダスト捕集時）を示す。
【図９】第３実施例の部分詳細断面図。
【図１０】図９のＰ２部の斜視図。
【符号の説明】
４：乗員室、５：エンジン、５ｂ：エンジン吸気流路、５ｅ：エンジン排気管、７：ボンネット、７ａ：開口、８：フィルタ、８ａ：フィルタ吸気面、９：ケース、９Ｆ：フィルタ吸気面側室（前室）、９ｂ：前室の底、９Ｅ：ケースのエンジン側壁、９ｆ：ダスト排出孔、１０：蓋、１０ａ：通気孔、１２：吸気管、１３：第２ケース、１４：連通管、１５：ダスト分離器、１５ｇ：ダスト排出口、１７：水捕集器。
【図１】
0004535631.tif 000002
【図２】
0004535631.tif 000003
【図３】
0004535631.tif 000004
【図４】
0004535631.tif 000005
【図５】
0004535631.tif 000006
【図６】
0004535631.tif 000007
【図７】
0004535631.tif 000008
【図８】
0004535631.tif 000009
【図９】
0004535631.tif 000010
【図１０】
0004535631.tif 000011